(57)【要約】【課題】  記録部から排紙されるシートを読取部の圧板上面に排紙し積載する構成を有する画像読取記録装置におけるコストダウンおよび能率アップ。【解決手段】  記録部から排紙されるシートを読取部の圧板上面に排紙し積載する構成を有する画像読取記録装置において、カバー部材の回動角度を、シート排出手段から排出されたシートをガイド・積載可能な範囲に規制する規制部材を設けた。【選択図】  図１
2006240805.tif 000002
【特許請求の範囲】
【請求項１】
原稿を積載する原稿台と、
前記原稿台に沿って移動しながら原稿画像を読み取る光学手段を有する原稿読取手段と、
画像を記録するシートを支持するシート支持手段と、
前記原稿読取手段の側方上部に配置され、前記シート支持手段に支持されているシートにインクを吐出して画像を記録するインクジェット記録手段と、
一辺を回動軸として前記原稿台を開放可能に設けられ、前記原稿台に載置された原稿を原稿台側に押圧するカバー部材と、
前記記録手段で画像が形成されたシートを前記カバー部材の上方へと排出するシート排出手段と、
前記カバー部材の原稿押え面とは反対側の面上に、前記シート排出手段から排出されたシートを積載するためのシート積載部とを有する構成において、
前記カバー部材の回動角度を、前記シート排出手段から排出されたシートを積載可能な範囲に規制する規制部材を有することを特徴とする画像読取記録装置。
【請求項２】
原稿を積載する原稿台と、
前記原稿台に沿って移動しながら原稿画像を読み取る光学手段を有する原稿読取手段と、
画像を記録するシートを支持するシート支持手段と、
前記原稿読取手段の側方上部に配置され、前記シート支持手段に支持されているシートにインクを吐出して画像を記録するインクジェット記録手段と、
一辺を回動軸として前記原稿台を開放可能に設けられ、前記原稿台に載置された原稿を原稿台側に押圧するカバー部材と、
前記記録手段で画像が形成されたシートを前記カバー部材の上方へと排出するシート排出手段と、
前記カバー部材の原稿押え面とは反対側の面上に、前記シート排出手段から排出されたシートを積載するためのシート積載部とを有する構成において、
前記カバー部材の回動角度を、前記シート排出手段から排出されたシートをガイド可能な範囲に規制する規制部材を有することを特徴とする画像読取記録装置。
【請求項３】
前記規制部材によって規制された時の前記カバー部材の回動角度は、前記カバー部材を閉じた状態に対して５０〜６０度の範囲であることを特徴とする請求項１または２に記載の画像読取記録装置。
【請求項４】
前記規制部材によって規制された時の前記カバー部材の回動時における前記シート積載部と、前記シート排出手段によるシート排出方向とがなす角度が、１２０〜１３０度の範囲であることを特徴とする請求項１〜３に記載の画像読取記録装置。
【請求項５】
前記カバー部材が前記規制部材によって規制された回動角度にあるとき、前記シート排出手段近傍において、排出されたシートを案内するガイド面をもつガイド部を前記カバー部材と一体に設けたことを特徴とする請求項１〜４に記載の画像読取記録装置。
【請求項６】
前記規制部材によって規制された時の前記カバー部材の回動時における前記ガイド部の前記ガイド面と、前記シート排出手段によるシート排出方向とがなす角度を、前記規制部材によって規制された時の前記カバー部材の回動時における前記シート積載部と、前記シート排出手段によるシート排出方向とがなす角度よりも大きくなるように構成したことを特徴とする請求項１〜５記載の画像読取記録装置。
【請求項７】
前記規制部材を前記カバー部材と一体に設けたことを特徴とする請求項１〜６に記載の画像読取記録装置。
【発明の詳細な説明】
【技術分野】
【０００１】
本発明は、原稿台上に載置した原稿の画像を読み取る機能と、搬送するシート上に画像を形成する機能とを具備した画像読取記録装置に関するものである。
【背景技術】
【０００２】
従来、この種の画像読取記録装置としては、例えば複写機、ファクシミリ装置あるいは複合機などがある。
【０００３】
これらの画像記録装置では、原稿台に載置された原稿の原稿画像を走査して画像を読み取るフラットベットタイプの画像読取手段（フラットベットスキャナ）を備えた装置が知られている。このような装置では、原稿台に載値する原稿を押えるなどのための圧板を開閉自在に回動させる構成としている。
【０００４】
そこで、装置全体の構成としては、装置本体の最上部に読取部を配置し、かつ装置本体を一体型するためには、記録部を読取部の下側に配置し、さらに記録したシートの排出口も読取部の下側に配置する構成としていた。
【０００５】
しかし、このような構成では、装置の高さ方向に大きいという欠点があった。
【０００６】
そこで、装置を小型にする構成として、図５に示すように装置本体の読取部５２の側方に記録部５３を配置するような構成が提案されている。
【０００７】
又、従来例としては、例えば特許文献１と特許文献２をあげることが出来る。
【特許文献１】特開2000-177909号公報
【特許文献２】特開2000-184123号公報
【発明の開示】
【発明が解決しようとする課題】
【０００８】
しかしながら、上記のような従来技術の場合には、以下のような問題があった。
【０００９】
上述した従来技術の構成において、記録部５３で記録されたシートは、読取部の圧板５４の上に排紙される。しかしながらシートが排紙される時に、圧板５４が５４ａのような開放状態になっていると、シートの先端が圧板５４ａとぶつかり、シートの不送り、ジャムなどの不具合が生じることがある。そのため圧板が５４ａのような開放状態になっているのを検知して排紙を一時停止させるシステムが必要となるので、圧板の開放状態を検知するためのセンサが必要となりコストアップとなっていた。また排紙が一時停止するので能率が悪かった。
【００１０】
本発明は上記の従来技術の課題を解決するためになされたものであり、その目的とするところは、記録部から排紙されるシートを読取部の圧板上面に排紙し積載する構成を有する画像読取記録装置におけるコストダウンおよび能率アップである。
【課題を解決するための手段】
【００１１】
上記目的を達成するために本発明は以下のような構成を備える。
【００１２】
原稿を積載する原稿台と、前記原稿台に沿って移動しながら原稿画像を読み取る光学手段を有する原稿読取手段と、画像を記録するシートを支持するシート支持手段と、前記原稿読取手段の側方上部に配置され、前記シート支持手段に支持されているシートにインクを吐出して画像を記録するインクジェット記録手段と、一辺を回動軸として前記原稿台を開放可能に設けられ、前記原稿台に載置された原稿を原稿台側に押圧するカバー部材と、前記記録手段で画像が形成されたシートを前記カバー部材の上方へと排出するシート排出手段と、前記カバー部材の原稿押え面とは反対側の面上に、前記シート排出手段から排出されたシートを積載するためのシート積載部とを有する構成において、前記カバー部材の回動角度を、前記シート排出手段から排出されたシートを積載可能な範囲に規制する規制部材を有することを特徴とする。
【００１３】
また、原稿を積載する原稿台と、前記原稿台に沿って移動しながら原稿画像を読み取る光学手段を有する原稿読取手段と、画像を記録するシートを支持するシート支持手段と、前記原稿読取手段の側方上部に配置され、前記シート支持手段に支持されているシートにインクを吐出して画像を記録するインクジェット記録手段と、一辺を回動軸として前記原稿台を開放可能に設けられ、前記原稿台に載置された原稿を原稿台側に押圧するカバー部材と、前記記録手段で画像が形成されたシートを前記カバー部材の上方へと排出するシート排出手段と、前記カバー部材の原稿押え面とは反対側の面上に、前記シート排出手段から排出されたシートを積載するためのシート積載部とを有する構成において、前記カバー部材の回動角度を、前記シート排出手段から排出されたシートをガイド可能な範囲に規制する規制部材を有することを特徴とする。
【００１４】
また好ましくは、前記規制部材によって規制された時の前記カバー部材の回動角度は、前記カバー部材を閉じた状態に対して５０〜６０度の範囲であることを特徴とする。
【００１５】
また好ましくは、前記規制部材によって規制された時の前記カバー部材の回動時における前記シート積載部と、前記シート排出手段によるシート排出方向とがなす角度が、１２０〜１３０度の範囲であることを特徴とする。
【００１６】
また好ましくは、前記カバー部材が前記規制部材によって規制された回動角度にあるとき、前記シート排出手段近傍において、排出されたシートを案内するガイド面をもつガイド部を前記カバー部材と一体に設けたことを特徴とする。
【００１７】
また好ましくは、前記規制部材によって規制された時の前記カバー部材の回動時における前記ガイド部の前記ガイド面と、前記シート排出手段によるシート排出方向とがなす角度を、前記規制部材によって規制された時の前記カバー部材の回動時における前記シート積載部と、前記シート排出手段によるシート排出方向とがなす角度よりも大きくなるように構成したことを特徴とする。
【００１８】
また好ましくは、前記規制部材を前記カバー部材と一体に設けたことを特徴とする。
【００１９】
以上の構成において、シート積載部となるカバー部材を最大まで開いた場合でも、規制部材によって、シート排出手段から排出されたシートを積載またはガイド可能な範囲に規制されるので、シートの不送り、ジャムなどの不具合が生じることがなくなる。よって圧板の開放状態を検知するためのセンサおよび排紙の一時停止が不要となり、記録部から排紙されるシートを読取部の圧板上面に排紙し積載する構成を有する画像読取記録装置におけるコストダウンおよび能率アップを実現することができる。
【発明の効果】
【００２０】
以上説明したように本発明によれば、記録部から排紙されるシートを読取部の圧板上面に排紙し積載する構成を有する画像読取記録装置において、カバー部材の回動角度を、シート排出手段から排出されたシートをガイド・積載可能な範囲に規制する規制部材を設けることにより、圧板が開放状態にあり場合にシートが排紙される時にも、規制部材によって、シート排出手段から排出されたシートを積載またはガイド可能な範囲までしか圧板が開かないように規制されるので、シートの不送り、ジャムなどの不具合が生じることがなくなる。よって圧板の開放状態を検知するためのセンサおよび排紙の一時停止が不要となり、記録部から排紙されるシートを読取部の圧板上面に排紙し積載する構成を有する画像読取記録装置におけるコストダウンおよび能率アップを実現することができる。
【発明を実施するための最良の形態】
【００２１】
以下、図を参照して本発明の最も特徴となる画像読取記録装置の実施の形態を詳細に説明する。
【００２２】
まず、実施形態に係る画像読取記録装置の各部構成要素の配置を簡単に説明する。図１は画像読取記録装置の外観斜視図であり、図２は画像読取記録装置の概略構成断面図、図３は画像読取記録装置の概略部品上面配置図である。
【００２３】
図に示したように画像読取記録装置は、原稿読取手段としてのフラットベットスキャナ方式の原稿読取部Ａと、原稿読取部Ａの装置奥側上部に配置されている画像形成手段であるインクジェット記録装置の記録部Ｂと、原稿読取部Ａの下方に記録シート１を支持収納し、装置手前側Ｅに引き出し可能な記録前シート用積載部を構成する記録紙カセット（記録紙収納カセット）Ｃが設けられている。
【００２４】
また図３に示すように制御用基板４１を原稿読取部Ａの下方で記録紙カセットＣの装置右側、電源４２を記録紙カセットＣの装置左側に配置している。
【００２５】
また、記録部Ｂで記録印字された記録シート１が略水平に排出される排出口２を有するシート排出手段である排出部Ｄは、原稿読取部Ａで読み取られる原稿を押圧するカバー部材である圧板３の装置奥側に上部に位置している。
【００２６】
ここで、圧板３は原稿を原稿台側に押圧するカバーするための機能を備えると共に、原稿を押える側の反対側の面（上面）においては、排出口２から排出される記録済みのシートを積載するための記録済みシート積載部（排紙トレイ）としての機能も備えている。原稿のカバー部材としての圧板３は、圧板ヒンジ４を回動中心として装置奥側方向（矢印Ｋ方向）に回動可能に構成されている。
【００２７】
また記録部Ｂにおいて、記録カバー５が記録カバーヒンジ６を回動中心に上カバー７に回動可能に構成されている。
【００２８】
また５１は操作部であり液晶表示部とダイアルキー他の操作キーが図示のように配設されている。
【００２９】
次に読取部Ａについて説明する。
【００３０】
図４は画像読取記録装置の読取部部品上面配置図である。ここで原稿読取部Ａの長手方向およびイメージセンサの移動方向Ｆと、記録紙カセットＣの長手方向及び記録紙の搬送方向Ｇは直交するように配置されている。
【００３１】
図に示すように、読取部Ａでは原稿読取手段としてのイメージセンサ３０がイメージセンサホルダ３１に取り付けられており、イメージセンサホルダ３１がガイドレール３２に固定されており、図示していない読取駆動部により図示しないベルトが駆動されるに従ってイメージセンサ３０はガイドレール３２に沿って矢印Ｆで示す装置左右方向に水平に駆動される。イメージセンサ３０の上に原稿台としてのコンタクトガラス３３があり、このコンタクトガラス３３の原稿載置面上に原稿面を下向きにセットして、イメージセンサ３０の矢印Ｆ方向の読取走査により、原稿の画像情報を読み取る。
【００３２】
本実施例において、原稿のサイズは例えばＡ４サイズであり、イメージセンサの長手方向読み取り可能幅は、２１０ｍｍ、読み取り搬送距離は、２９７ｍｍである。
【００３３】
圧板ヒンジ４で回動可能な圧板３のコンタクトガラス３３に接する面は、スポンジ、あるいは発泡ウレタンなどの材料で形成され、原稿をコンタクトガラス３３に均一に押し付けるように構成されている。また、圧板ヒンジ４を原稿読取部Ａに対して上下方向に取り外し可能なように図示しない読取部カバーの穴に嵌合している。
【００３４】
次に記録シート１の流れについて概略説明を行う。一連の記録紙搬送路は矢印Ｇで示されている。
【００３５】
最初に記録紙カセットＣについて説明する。
【００３６】
記録シート１としては、普通紙やプラスチックシート等及びその他の材質であって、インクを転写し得るものを用いることが可能である。本実施例では、Ａ４サイズにカットされた普通紙を記録シート１として用いる。そして記録シート１は、複数枚重ねてカセットフレーム２１に図示しない記録紙高さ規制板により限られた枚数が収納積載される。カセットフレーム２１は図示しないスライダによって記録シート１のサイズに合わせて記録シート１の側面をガイドできるように構成されている。
【００３７】
また図２に於いて、記録シート１の底部に構成している中板２２は、図示しない回転軸を中心に回動可能に支持され、図示しない中板ばねにより記録シート１を分離ローラ２３へと接触させる。また、図示しない駆動系により分離ローラ２３が図示する矢印方向に１回転制御されており、分離ローラ２３に記録シート１が接触すると前述中板２２の付勢力を得て、分離ローラ２３および分離パット２４によって１枚だけ分離され記録部ＢまでＵターン搬送される。
【００３８】
次に、記録部Ｂについて説明をする。
【００３９】
本装置の記録系としては、一般にインクジェット記録装置と称されるものを採用している。
【００４０】
図２に於いて、記録部Ｂはパソコン等の上位機器から伝送された画信号、文字データ等の画信号に応じて、あるいは読取部Ａで読み取った画像信号に応じて記録紙カセットＣより供給された記録シート１に画像を記録するものである。
【００４１】
詳細に説明をすると、記録紙押え１０は、ＬＦローラ１１側に押圧されてあり記録紙カセットＣより搬送された記録シート１の上ガイドを兼ねながら、ピンチローラ１０ａをＬＦローラ１１に対向させている。そして記録カートリッジ１２とプラテン板１３との間を記録シート１が搬送され、記録カートリッジ１２により重力方向にインクを吐出することにより記録動作を行う。本実施例に於いては、図示しないモータ及び駆動系により記録カートリッジ１２は、キャリッジ１２ａに着脱可能に搭載され、キャリッジシャフト１４を摺動することで、記録シート１の幅方向（記録シート搬送方向に直行する方向）に対して移動しながら、シリアル印字するよう構成している。
【００４２】
次に印字記録後の記録シート１は、記録カートリッジ１２の下流に位置する排出部Ｄに搬送され、印字がなされた記録紙を装置の下流に搬送するの排紙ローラ１５ａと、排紙ロ−ラの対向側にあり記録紙の印字面に接触してもインクが転写されることの無い材質で構成された拍車ローラ１５ｂにより印字面を汚さないように記録シート１を図示する矢印方向Ｇの機外へと搬送し、記録紙排紙トレイを兼ねた読取部Ａの圧板３上にストレートに排出される。
【００４３】
また、記録カートリッジ１２の装填や交換は、記録カバー５が記録部の上部に設けられたことにより、操作者による記録カバー５の開閉で簡単に行うことができる。即ち、図２に示したように圧板３及び読取部Ａに干渉しないように、記録カバー５の開閉を行うことができるように構成されており、記録カートリッジ１２の着脱を自在として操作者の操作性及びメンテナンス性を向上させている。さらに、記録シート１の補充は、上述したように記録カセットＣの装置手前方向Ｅへの引き出し操作により簡単に行うことができる。
【００４４】
本発明の実施形態の一例として、記録シートとしてＡ４サイズの普通紙を１００枚収納可能な記録紙カセットＣの上に、Ａ４サイズ原稿を読み取るフラットベットスキャナ（原稿読取部）Ａを置き、装置奥側上部にインクジェット記録部Ｂを配置した構成とすれば、インクジェット記録部Ｂの記録カートリッジ１２の動作範囲に必要な大きさと、フラットベットスキャナのイメージセンサ３０の動作範囲がほぼ同じのため、装置本体の大きさは装置横幅３７０ｍｍ、装置奥行き３５０ｍｍ、装置高さ１８０ｍｍ程度の寸法サイズを達成することができる。よって、設置面積が少なく、個人のデスク上に本画像読取記録装置を設置しても邪魔にならず、操作者が座ったままの操作も容易である。
【００４５】
次に記録されたシートの排紙動作について図２を用いて説明する。
【００４６】
圧板３がコンタクトガラス３３に対向するように閉じられていれば、排出部Ｄにて排紙されたシートはＧに示すように圧板３上に排紙、積載される。
【００４７】
次に、記録中に圧板３を、圧板ヒンジ４を回転中心として開いたときについて説明する。
【００４８】
圧板３の圧板ヒンジ４近傍には、圧板ストッパ９が設けられている。
【００４９】
圧板ストッパ９は、圧板３と一体的に成型された複数のリブであって、ストッパ面９ａと、ガイド面９ｂとを形成している。
【００５０】
すなわち、圧板３を、圧板ヒンジ４を回転中心として開いていったときに、圧板ストッパ９のストッパ面９ａがスキャナＡの筐体３４に当たってそれ以上開かないように規制している。
【００５１】
このときの圧板３の状態が、図中２点差線の３′で示される。
【００５２】
また、この状態で、シートが排紙部Ｄより排紙されてくると、シートの先端が圧板ストッパ９のガイド面９ｂに案内され、矢印Ｇ′に示すように、シートは圧板３′上に案内され、積載されるようになっている。
【００５３】
すなわち、圧板３を最大限開いても、圧板３は、圧板ストッパ９のストッパ面９ａの働きにより３′の状態以上には開かないため、記録動作中、シートが排紙部Ｄから排紙されてくるときに圧板３を開けてもシートの排紙が圧板ストッパ９のガイド面９ｂによってガイドされて、シートの不送り、ジャムが起きないようになっている。よって圧板の開放状態を検知するためのセンサおよび排紙の一時停止が不要となり、コストダウンおよび能率アップをすることができる。
【００５４】
圧板ストッパ９によって規制された時の圧板３′の角度は、原稿をコンタクトガラス３３上にセットする時の操作性を考えると、コンタクトガラス３３に対して５５度が適当な角度である。それよりも小さいと原稿のセット性が悪くなるし、それよりも大きいと、原稿のセット性は良くなるのだが、コシの強いシートの排紙の妨げになる可能性が有る。実際には、５５度に対して多少前後しても特に問題ないため、５０度から６０度の範囲であれば効果的である。
【００５５】
また、圧板３′の角度を、排紙部Ｄからシートが排紙される時に、圧板３′上へのシートのガイド及び積載の観点から考えると、シートの排紙方向Ｇに対し、１２５度が適当な角度である。それよりも小さいと、腰の強いシートの場合、排紙の妨げになり、記録画像が乱れる可能性が有る。１２５度よりも大きい場合はシートの排紙に対しては良くなるが、相対的にコンタクトガラス３３に対する圧板３′の角度が小さくなり、原稿のセット性が悪くなる。実際には、１２５度に対して多少前後しても特に問題ないため、１２０度から１３０度の範囲であれば効果的である。
【００５６】
また、圧板３′の状態において、シートの排紙方向Ｇに対する圧板ストッパ９のガイド面９ｂの角度は、シートの排紙方向Ｇに対する圧板３′の角度よりも大きくなるように構成されている。また、ガイド面９ｂは、矢印Ｇ方向に排紙されたシートの先端がガイド面９ｂに当たるように配設されている。このため、排紙されたシートは、まずその先端がガイド面９ｂに当たって、滑らかに矢印Ｇ′方向に案内された後、圧板３′上を案内され、最後に圧板３′上に積載される。このように、排紙されたシートが直接圧板３′に当たる前に、圧板３′よりも緩やかな角度のガイド面９ｂに当たることで、シートの排紙がよりスムーズに行われるようになっている。
【００５７】
また、圧板ストッパ９は、圧板３と一体に成型されているため低コストを実現している。
【００５８】
本実施例では、圧板ストッパ９にストッパ面９ａとガイド面９ｂを同時に設けているが、ストッパ面９ａだけをもつものと、ガイド面９ｂだけをもつものを別々に設けても、それぞれが圧板３と一体に構成されていれば構わなく、低コストの効果が変わるものではない。
【図面の簡単な説明】
【００５９】
【図１】本発明を最も良く示す実施例における画像読取記録装置の外観斜視図である。
【図２】本発明における画像読取記録装置の概略構成断面図である。
【図３】本発明における画像読取記録装置の概略部品上面配置図である。
【図４】本発明における画像読取記録装置の読み取り部部品上面配置図である。
【図５】従来例を示す画像読取記録装置の概略構成断面図である。
【符号の説明】
【００６０】
１  記録シート
２  排出口
３  圧板
５  記録カバー
７  上カバー
８  操作部
９  圧板ストッパ
１０  記録紙押さえ
１０ａ  ピンチローラ
１１  ＬＦローラ
１２  記録カートリッジ
１２ａ  キャリッジ
１３  プラテン板
１４  キャリッジシャフト
１５ａ  排紙ローラ
１５ｂ  拍車ローラ
２１  カセットフレーム
２２  中板
２３  分離ローラ２３
２４  分離パット
３０  イメージセンサ
３１  イメージセンサホルダ３１
３２  ガイドレール
３３  コンタクトガラス
４１  制御用基板
４２  電源
Ａ  画像読取部
Ｂ  記録部
Ｃ  カセット
Ｄ  排出部
【図１】
2006240805.tif 000003
【図２】
2006240805.tif 000004
【図３】
2006240805.tif 000005
【図４】
2006240805.tif 000006
【図５】
2006240805.tif 000007